(57)【要約】【課題】ブロー成形等により胴部とスパウト６とを一体に形成することができて安価に且つ容易に製造することができるとともに、一旦開封してもスパウト６の吐出路を液密に閉塞することができるため収納物の部分的な使用が可能で、開封後の収納物の安定した管理が可能である容器を提案する。【解決手段】スパウト６の中間部に吐出弁Ａを設けた。吐出弁Ａは環状の折り曲げ線10を境に一対の皿状の基板11及び皿状の反転板12を備えた中空体で、基板11にはスパウト基端部6aの出口13及びスパウト先端部6bの入口14を開口し、押圧により反転板12を基板内面に反転させた際に出口13及び入口14を閉塞し、液圧により反転した反転板12を押し広げて注出させる如く構成した。【選択図】図３
2006306435.tif 000002
【特許請求の範囲】
【請求項１】
収納物充填後閉塞する充填口３を備えた胴部２より先端閉塞の筒状のスパウト６を突設した合成樹脂製の容器であって、スパウト６中間部に吐出弁Ａを備え、該吐出弁Ａは、環状の折り曲げ線10を境に一対の皿状の基板11及び皿状の反転板12を備えた中空体で、基板11にはスパウト基端部6aの出口13及びスパウト先端部6bの入口14を開口してなり、押圧により反転板12を基板11内面に反転させた際に前記出口13及び入口14を閉塞し、胴部２の圧搾による液圧により反転した反転板12を押し広げて注出させる如く構成したことを特徴とする容器。
【請求項２】
前記スパウト６の先端を薄肉の破断部７を介して切り取り可能なキャップ８に形成してなる請求項１に記載の容器。
【請求項３】
前記吐出弁Ａを備えた前記スパウト６の他に、前記胴部２より先端閉塞の筒状の補助スパウト15を突設してなる請求項１又は請求項２のいずれかに記載の容器。
【請求項４】
吊り下げ手段を設けてなる請求項１乃至請求項３のいずれかに記載の容器。
【請求項５】
全体をブロー成形により形成してなる請求項１乃至請求項４のいずれかに記載の容器。
【発明の詳細な説明】
【技術分野】
【０００１】
本発明は容器に関する。
【背景技術】
【０００２】
詰め替え用などに使用する簡易容器として、プラスチックフィルムを製袋した所謂パウチと呼ばれる容器が提案されており（例えば、特許文献１参照）、また、それらの容器に別体のスパウトを溶着固定した容器が提案されている（例えば、特許文献２参照）。
【０００３】
前者は、複数枚のプラスチックフィルムの縁部を溶着シールして製袋し、シール面に胴部と連通する先端閉塞の収納物注出路を形成している。そして、使用時に収納物注出路の先端をカットすることにより開封し、胴部の圧搾により収納物を注出する如く構成している。
【０００４】
また、後者は、可撓性のパウチ側壁部とパウチ底壁部を熱溶着して自立可能の袋体としたスタンディングパウチであって、側壁部の上辺と側辺との一角に傾斜部を設け、該傾斜部に収納物を注出するためのスパウトを熱溶着している。スパウトは、側壁部に溶着される基部と、該基部から外方に向かって延び外周面にねじ山を有する注出筒と、該注出筒の天面に熱用着されるシール部材と、注出筒外周面のねじ山とねじ嵌合されるキャップと、キャップの内面に設けられて注出筒天面に液密に当接するコンタクトリングとを備えている。
【特許文献１】特開平７−４１０１９号公報
【特許文献２】特開２００２−１０４４４６号公報
【発明の開示】
【発明が解決しようとする課題】
【０００５】
上記した特許文献１のパウチは安価に製造できて詰め替え用の収納物を収納するのに適した容器ではあるが、一旦開封するとスパウトは開口したままであるため、収納物を全部使い切ってしまわなければならないという不都合がある。収納物の一部を使用した場合にはスパウト開口部分を折り畳んでクリップで止める等の手段により保管することは可能であるが、開口部分の閉塞が充分行われず、収納物が漏出したり、或いは収納物が酸化したりする等の不都合を生じる虞れがあり、いずれにしろ開封後の保管には不向きである。
【０００６】
また、後者は開封後もキャップの存在で、収納物の一部を使用しても上記した不都合を生じることなく保管することができるが、別部材としてスパウト，キャップを成形しなければならず、また、それを製袋時に液密に融着しなければならず、製造上の煩雑さを伴う上にコストも増大する。
【０００７】
本発明は上記した点に鑑みてなされたもので、ブロー成形等により胴部とスパウトとを一体に形成することができて安価に且つ容易に製造することができ、また、一旦開封してもスパウトの吐出路を液密に閉塞することができるため、収納物の部分的な使用が可能で、開封後の収納物の安定した保管が可能であり、また、取り扱い上も便利な容器を提案する。
【課題を解決するための手段】
【０００８】
第１の手段として、収納物充填後閉塞する充填口３を備えた胴部２より先端閉塞の筒状のスパウト６を突設した合成樹脂製の容器であって、スパウト６中間部に吐出弁Ａを備え、該吐出弁Ａは、環状の折り曲げ線10を境に一対の皿状の基板11及び皿状の反転板12を備えた中空体で、基板11にはスパウト基端部6aの出口13及びスパウト先端部6bの入口14を開口してなり、押圧により反転板12を基板11内面に反転させた際に前記出口13及び入口14を閉塞し、胴部２圧搾による液圧により反転した反転板12を押し広げて注出させる如く構成した。
【０００９】
本発明の容器は詰め替え用の簡易容器を一つの目的用途としている為比較的薄肉に形成すると良く、また、胴部２の形態は通常のパウチの様に起立不能の形態のものであっても、或いはスタンディングパウチの如く起立可能な袋状形態のものであっても、或いはボトル形態のものであっても良く種々選択できる。また、その厚みとしては起立形態の時は保形性を有する起立可能な肉厚とし、吊り下げ形態の時は通常の袋状パウチ程度の肉厚とすることも可能であり、使用形態によって肉厚は選択できる。更に、容器は合成樹脂の単層構造のものであっても、或いはガスバリアー性の付与等の目的にあわせて適宜選択した積層構造であっても良い。また、吐出弁Ａの基板11及び反転板12の形態は実施形態に示す如き球面板状のものが好ましく採用できるが、これに限られず、折り曲げ線10を介して反転が可能で両者で中空体を形成し、更に反転した際に出口13及び入口14を閉塞できる形態であれば良い。
【００１０】
第２の手段として、前記第１の手段に於いて、前記スパウト６の先端を薄肉の破断部７を介して切り取り可能なキャップ８に形成した。切り取り可能な手段としてキャップ８に把手９を設けると良く、把手９の形態は種々採用できる。
【００１１】
第３の手段として、前記第１の手段又は第２の手段のいずれかの手段に於いて、前記吐出弁Ａを備えた前記スパウト６の他に、前記胴部２より先端閉塞の筒状の補助スパウト15を突設した。
【００１２】
第４の手段として、前記第１の手段又は第２の手段又は第３の手段のいずれかの手段に於いて、吊り下げ手段を設けた。吊り下げ手段としては、胴部２に吊り下げ孔４を穿設したり、或いは充填口３の上端部に吊り下げリング19を画成することが挙げられる。前者の場合には、吊り下げ孔４に環状の吊り下げ紐５などを装着することにより吊り下げての保管が可能であり、また、吊り下げ孔４を壁面のフック等に吊り下げての保管も可能である。また、後者の場合には、製造時に吊り下げリング19を一体に形成することができる製造上のメリットもある。
【００１３】
第５の手段として、前記第１の手段又は第２の手段又は第３の手段又は第４の手段のいずれかの手段に於いて、全体をブロー成形により形成した。ブロー成形は一般的なブロー成形が採用できる。
【発明の効果】
【００１４】
本発明の容器は、前記吐出弁Ａの存在で、開封したスパウト６の吐出路を液密に閉塞しておくことができ、また、収納物吐出の際には胴部２を圧搾するというこの種の容器と同様の操作で行えるとともに、胴部２の圧搾を解除すれば自動的に吐出弁Ａが閉じて吐出路が遮断されるため、使用操作が簡単であり、収納物を分けて吐出使用でき、開封後の保管も行える。
【００１５】
また、前記スパウト６の先端を薄肉の破断部７を介して切り取り可能なキャップ８に形成すれば、カッター等の道具なしに簡単に開封することができる。
【００１６】
また、吐出弁Ａを備えたスパウト６の他に、胴部２より先端閉塞の筒状の補助スパウト15を突設したものにあっては、収納物を分けて使用する場合と、収納物を一遍に使用する場合とを選択でき、また、スパウト６と、補助スパウト15との径を選択することができるため、例えば、スパウト６の径を分取の際の好適な径とすることができ、補助スパウト15の径を詰め替える為の容器の径にあわせて選択することができる等の利点がある。
【００１７】
また、吊り下げ手段を設けた場合には、吊り下げての保管が可能であり、取り扱いがより便利となる。
【００１８】
全体をブロー成形により形成した場合には、全体を一体に形成できるとともに、薄肉の詰替容器形態に形成することも容易であるため、安価に且つ容易に製造できる利点がある。
【発明を実施するための最良の形態】
【００１９】
以下、本発明の実施例の形態を図面を参照して説明する。
【００２０】
図１乃至図３は本発明の容器の一例を示すもので、該容器１は、合成樹脂により一体に形成されており、収納物を収納する胴部２は底部が山型に上方へ凹んでおり、収納物の充填により拡がって起立状態を維持可能に構成している。胴部２の上端には収納物の充填後に閉塞する充填口３を設けている。閉塞手段としては融着が好ましく採用できる。また、胴部の後部上部には吊り下げ孔４を設けており、該吊り下げ孔４に挿通した吊り下げ紐５の端部を結び環状に設けている。尚、吊り下げ紐５を設けなくてそのまま壁面のフック等に吊り下げる如く使用することも当然可能である。吊り下げ孔４は例えば、ブロー成形時に同時に形成することができる。
【００２１】
また、胴部２には筒状のスパウト６を一体に突設しており、スパウト６の先端に薄肉の破断部７を介して切り取り可能なキャップ８を設けている。キャップ８には把手９を一体に形成しており、該把手９を掴んで引っ張ることにより破断部７を破断し、キャップ８を取り除いてスパウト６の先端吐出口が開口する如く構成している。尚、スパウト６の先端は図示例の如きキャップ８を設けたものに限らず、スパウト６から一体に延設した壁部により閉塞しても良く、その場合には刃物等により先端部を切断して先端吐出口を開口すれば良い。
【００２２】
本発明ではスパウト６の中間部に吐出弁Ａを備えている。この吐出弁Ａは、環状の折り曲げ線10を境に一対の皿状の基板11及び皿状の反転板12を備えた中空体で、基板11にはスパウト基端部6aの出口13及びスパウト先端部6bの入口14を開口している。吐出弁Ａは、図３(a) に示す如く、成形時には基板11及び反転板12が離間した中空体状態で出口13及び入口14は開口しており、スパウト基端部6aとスパウト先端部6bを基板11及び反転板12が形成する空間部を介して連通している。開封後には図３(b) に示す如く、押圧により反転板12を基板11内面に反転させると前記出口13及び入口14が反転板12により閉塞されてスパウト６の基端部6aと先端部6bとが連通を遮断される。また、この状態で胴部２を圧搾すると、液圧により反転した反転板12を押し広げて注出させる如く構成した。
【００２３】
本例の場合には、まず、充填口３から収納物を注入した後、充填口３を形成する壁部を融着等の適宜固着手段により固着して閉塞することによりシール部ａを形成して収納物の充填を行える。使用する場合には、スパウト６のキャップ８を除去し、そのままの状態で胴部２を圧搾して収納物を吐出しても良く、或いはキャップ８取り外した後或いはキャップ８取り外し前に反転板12を押圧して出口13及び入口14を閉塞した後、胴部２を圧搾すると、液圧で反転板12の閉塞部分が押し広げられて収納物をスパウト６先端の吐出口から吐出することができ、また、胴部２の圧搾を解除すれば反転板12はもとの出口13及び入口14閉塞状態となる。
【００２４】
図４は他の例を示すもので、本例では、吐出弁Ａを備えたスパウト６の他に、胴部２より補助スパウト15を突設している。補助スパウト15も薄肉の破断部16を介して把手17付きのキャップ18を備えている。開封手段はスパウト６と同様である。尚、この場合もスパウト６の場合と同様にキャップ18を設けずに補助スパウト15先端を一体に延設した壁部で閉塞しても良い。補助スパウト15を設ける場合には、収納物の全部を一度に詰め替える場合に好適であり、この補助スパウト15を設けることにより、容器が収納物を一部づつ使用する場合と、収納物全体を一遍に詰め替える場合とに選択的に使用できる。また、本例では、充填口３の上端部に吊り下げリング19を画成している。吊り下げリング19は充填口３の上端縁より所定幅をあけて平行に切溝20を穿設して、その上部を吊り下げリング19として構成している。
【図面の簡単な説明】
【００２５】
【図１】本発明容器の側面図である。（実施例１）
【図２】本発明容器の開封後のスパウト部分の拡大斜視図である。（実施例１）
【図３】本発明容器の作用を説明する説明図である。（実施例１）
【図４】本発明容器の側面図である。（実施例２）
【符号の説明】
【００２６】
２…胴部，３…充填口，６…スパウト，6a…基端部，6b…先端部，７…破断部，
８…キャップ，10…折り曲げ線、11…基板，12…反転板，13…出口，14…入口，
15…補助スパウト，Ａ…吐出弁
【図１】
2006306435.tif 000003
【図２】
2006306435.tif 000004
【図３】
2006306435.tif 000005
【図４】
2006306435.tif 000006